(57)【要約】【課題】内燃機関の燃料供給装置において、燃料の混合割合に基づいて可及的にリーン空燃比とすることができる技術を提供する。【解決手段】複数の燃料を混合して用いる内燃機関の燃料供給装置であって、内燃機関へ燃料を供給する燃料供給手段と、内燃機関に供給される燃料の中で所定の種類の燃料の濃度を検出する燃料濃度検出手段と、燃料濃度検出手段により検出される濃度に基づいてリーン空燃比にて運転する領域を決定するリーン領域決定手段（Ｓ１０４、Ｓ１０５）と、リーン領域決定手段により決定された領域においてリーン空燃比で運転する場合には、前記燃料濃度検出手段により検出される濃度に応じたリーン度合いとする空燃比決定手段（Ｓ１０６）と、を具備する。【選択図】図２
2007177638.tif 000002
【特許請求の範囲】
【請求項１】
複数の燃料を混合して用いる内燃機関の燃料供給装置であって、
前記内燃機関へ燃料を供給する燃料供給手段と、
前記内燃機関に供給される燃料の中で所定の種類の燃料の濃度を検出する燃料濃度検出手段と、
前記燃料濃度検出手段により検出される濃度に基づいてリーン空燃比にて運転する領域を決定するリーン領域決定手段と、
前記リーン領域決定手段により決定された領域においてリーン空燃比で運転する場合には、前記燃料濃度検出手段により検出される濃度に応じたリーン度合いとする空燃比決定手段と、
を具備することを特徴とする内燃機関の燃料供給装置。
【発明の詳細な説明】
【技術分野】
【０００１】
本発明は、複数の燃料を混合して使用可能な内燃機関の燃料供給装置に関する。
【背景技術】
【０００２】
ガソリンとアルコールとでは、希薄燃焼可能なリーンの限界が異なる。アルコールのほうがガソリンよりもリーンの度合いを高くして燃焼させることができる。そのため、複数の燃料を混合して使用可能な内燃機関では、燃料中のアルコールの濃度が高いほどリーンの限界が高くなる。そして、アルコール濃度によってリーン領域を拡大する技術が知られている（例えば、特許文献１参照。）。しかし、アルコール濃度によって均質リーン燃焼可能な空燃比が変わるにも関わらず、従来ではリーン燃焼可能な運転領域内で一定のリーン空燃比としていた。そのため、よりリーン空燃比で運転することができる場合もある。
【特許文献１】特開平５−２７２３８３号公報
【発明の開示】
【発明が解決しようとする課題】
【０００３】
本発明は、上記したような問題点に鑑みてなされたものであり、内燃機関の燃料供給装置において、燃料の混合割合に基づいて可及的にリーン空燃比とすることができる技術を提供することを目的とする。
【課題を解決するための手段】
【０００４】
上記課題を達成するために本発明による内燃機関の燃料供給装置は、以下の手段を採用した。すなわち、本発明による内燃機関の燃料供給装置は、
複数の燃料を混合して用いる内燃機関の燃料供給装置であって、
前記内燃機関へ燃料を供給する燃料供給手段と、
前記内燃機関に供給される燃料の中で所定の種類の燃料の濃度を検出する燃料濃度検出手段と、
前記燃料濃度検出手段により検出される濃度に基づいてリーン空燃比にて運転する領域を決定するリーン領域決定手段と、
前記リーン領域決定手段により決定された領域においてリーン空燃比で運転する場合には、前記燃料濃度検出手段により検出される濃度に応じたリーン度合いとする空燃比決定手段と、
を具備することを特徴とする。
【０００５】
前記内燃機関は、複数の燃料を混合したものを混合燃料として使用する。混合燃料においてリーン燃焼可能な運転領域は、該混合燃料に含まれる夫々の燃料におけるリーン燃焼可能な運転領域と、夫々の燃料の混合割合と、によって変化する。ここで、夫々の燃料のリーン燃焼可能な運転領域は、混合されると予想される燃料のリーン燃焼可能な運転領域として予め得ることができる。また、夫々の燃料の割合は、燃料濃度検出手段により検出することができる。そして、リーン領域決定手段は、所定の種類の燃料の濃度に基づいて、そのときのリーン燃焼可能な運転領域を決定する。
【０００６】
ここで、燃焼可能なリーン空燃比の限界（以下、リーン限界という。）は、燃料の種類によって異なる。例えば、リーン限界の高い燃料がより多く混合されるほど、混合燃料のリーン限界も高くなる。すなわち、燃料濃度検出手段により検出される濃度に応じてリーンの度合いを変更することで、そのときの混合燃料において運転可能なリーン限界を得ることができる。
【０００７】
このように、燃料の混合割合によりリーン燃焼可能な運転領域およびリーン燃焼可能なリーンの度合いが異なる。例えば、リーン限界が高い燃料の混合割合が高い場合には、リーン燃焼可能な運転領域がより広くなる。また、リーン限界が高い燃料の混合割合が高い場合には、リーン燃焼で運転するときにリーンの度合いをより高くすることができる。これらから、所定の種類の燃料の濃度に応じてリーン燃焼可能な運転領域の広さおよびリーンの度合いを決定することで、その燃料において、より広い範囲でリーン燃焼にて運転が可能となり且つリーンの度合いを高くすることが可能となる。
【発明の効果】
【０００８】
本発明によれば、燃料の混合割合に基づいて可及的にリーン空燃比とすることができる。
【発明を実施するための最良の形態】
【０００９】
以下、本発明に係る内燃機関の燃料供給装置の具体的な実施態様について図面に基づいて説明する。
【実施例１】
【００１０】
図１は、本実施例に係る内燃機関の燃料供給装置を適用する内燃機関１、並びにその吸気系および排気系の概略構成を示す図である。図１に示す内燃機関１は、水冷式の４サイクルエンジンである。内燃機関１は、ガソリンおよびアルコールを任意の割合で混合した混合燃料を用いることができる。そして、内燃機関１は均質リーン燃焼にて運転が可能である。均質リーンとは、燃焼室２内のどの部分においても空燃比が略一定で、且つ吸入空気量と供給燃料量との比が理論空燃比よりも高い場合をいう。
【００１１】
内燃機関１には、燃焼室２へ通じる吸気通路３が接続されている。この吸気通路３の途中には、内燃機関１の吸入空気量を測定するエアフローメータ４が取り付けられている。また、エアフローメータ４よりも内燃機関１側の吸気通路３には、スロットル５が設けられている。このスロットル５には、該スロットル５の開度に応じた信号を出力するスロットル開度センサ５１が取り付けられている。このスロットル開度センサ５１の出力信号により内燃機関１の負荷を検出することができる。このスロットル５は、アクチュエータ５２により開閉駆動される。
【００１２】
スロットル５よりも内燃機関１側の吸気通路３には、該吸気通路３内に燃料を噴射する燃料噴射弁６が取り付けられている。なお、本実施例では燃料噴射弁６が、本発明における燃料供給手段に相当する。燃料噴射弁６には、燃料供給管６１が接続され該燃料供給管６１内には燃料が流れている。また、燃料供給管６１には、該燃料供給管６１内を流れる燃料のアルコール濃度を検出するアルコール濃度センサ６２が取り付けられている。なお、本実施例ではアルコール濃度センサ６２が、本発明における燃料濃度検出手段に相当する。
【００１３】
一方、内燃機関１には、燃焼室２へ通じる排気通路７が接続されている。この排気通路７の途中には、該排気通路７を流通する排気の空燃比を検出する空燃比センサ８が取り付けられている。
【００１４】
以上述べたように構成された内燃機関１には、該内燃機関１を制御するための電子制御ユニットであるＥＣＵ１０が併設されている。このＥＣＵ１０は、内燃機関１の運転条件や運転者の要求に応じて内燃機関１の運転状態を制御する。ＥＣＵ１０には、前記センサのほか、運転者がアクセルペダル１１を踏み込んだ量に応じた電気信号を出力するアクセル開度センサ１２が電気配線を介して接続され、これらセンサの出力信号が入力されるようになっている。一方、ＥＣＵ１０には、燃料噴射弁６およびスロットル５が電気配線を
介して接続され、燃料噴射弁６からの燃料噴射量およびスロットル５の開度はＥＣＵ１０により制御される。
【００１５】
そして、本実施例では、内燃機関１が部分負荷で運転されているときには、リーン空燃比を目標として燃料噴射量が決定される。ここで、均質リーン燃焼可能な運転領域の広さ、および均質リーン燃焼可能で限界となるリーンの度合いは、燃料中のアルコール濃度により異なる。そして、本実施例では可及的に空燃比を高くするために、均質リーン燃焼を行う運転領域および均質リーン燃焼を行うときの空燃比をアルコール濃度に基づいて決定している。すなわち、アルコール濃度センサ６２により得られるアルコール濃度に基づいて目標となる空燃比を決定している。そして、この空燃比となるように燃料噴射量が決定される。
【００１６】
また、均質リーン燃焼を行うことができない領域では、理論空燃比を目標として燃料噴射量が決定される。理論空燃比は、アルコール濃度に基づいて求められる。
【００１７】
一方、全負荷およびその近傍では、内燃機関１の出力が最大となる空燃比（以下、出力空燃比という。）を目標として燃料噴射量が決定される。この出力空燃比は、理論空燃比よりもリッチ側である。
【００１８】
次に、本実施例に係る燃料供給量の算出フローについて説明する。図２は、本実施例に係る燃料供給量の算出フローを示したフローチャートである。本ルーチンは、所定の時間毎に繰り返し実行される。
【００１９】
ステップＳ１０１では、アルコール濃度が読み込まれる。本ステップでは、燃料のアルコール濃度がアルコール濃度センサ６２により検出され、その値がＥＣＵ１０に記憶される。なお、アルコール濃度センサ６２を用いずに、空燃比センサ８により検出される空燃比に基づいた燃料供給量のフィードバック制御時のフィードバック値からアルコール濃度を推定してもよい。
【００２０】
ステップＳ１０２では、アクセル開度が読み込まれる。本ステップでは、アクセル開度がアクセル開度センサ１２により検出され、その値がＥＣＵ１０に記憶される。
【００２１】
ステップＳ１０３では、アルコール濃度を０としたときの基本噴射量Ａを算出する。この基本噴射量Ａとは、燃料がガソリンのみと仮定した場合に理論空燃比を得ることができる燃料噴射量である。アクセル開度と基本噴射量Ａとの関係は、予め求めてマップ化しＥＣＵ１０に記憶させておく。そして、このマップにステップＳ１０２で記憶されたアクセル開度を代入して基本噴射量Ａを算出する。
【００２２】
ステップＳ１０４では、アクセル開度が閾値よりも小さいか否か判定される。本ステップでは、燃料噴射量を増量する必要がないか否か判定している。閾値とは、内燃機関１が全負荷であるとすることのできるアクセル開度の下限値である。この閾値は、機関回転数により定まる値である。ここで、図３は、機関回転数とアクセル開度の閾値との関係を表した図である。アクセル開度の閾値は、アクセルペダル１１をいっぱいまで踏み込んだ状態に対してどの程度の踏み込み量であるのかを示している。図３に示されるように機関回転数が高くなるほど、アクセル開度の閾値が小さくなる。すなわち、機関回転数が高くなるほど、より小さなアクセル開度で燃料の増量が必要となる。なお、本ステップでは、アクセル開度に代えて、吸入空気量が所定量以上であるか否か判定するようにしてもよい。ステップＳ１０４で肯定判定がなされた場合にはステップＳ１０５へ進み、一方否定判定がなされた場合にはステップＳ１０８へ進む。
【００２３】
ステップＳ１０５では、均質リーン燃焼可能な運転領域であるか否か判定される。均質リーン燃焼可能な運転領域であるか否かは、予め設定されているマップに基づいて判定される。ここで、図４は、機関回転数と燃料噴射量と燃料中のアルコール濃度の閾値と関係を示した図である。燃料中のアルコール濃度の閾値とは、そのときの機関回転数および燃料噴射量において均質リーン燃焼可能なアルコール濃度の下限値を示している。また、燃料噴射量はガソリン１００％のときに換算した値としている。そのため、アルコール濃度に関係なく図４に示したマップを使用することができる。図４に示されるように、機関回転数が高いほど、また燃料噴射量が多いほど、アルコール濃度がより高くなければ均質リーン燃焼を行うことができない。そして、アルコール濃度センサ６２により検出される濃度が、図４に示される閾値よりも小さい場合には、均質リーン燃焼を行うことができないとする。なお、均質リーン燃焼を行うことができない運転領域では、アルコール濃度１１０％という有り得ない値を入れておく。ステップＳ１０５で肯定判定がなされた場合にはステップＳ１０６へ進み、一方否定判定がなされた場合にはステップＳ１０９へ進む。
【００２４】
ステップＳ１０６では、燃料中のアルコール濃度に応じて目標となる吸入空気量（以下、目標吸入空気量とする。）を算出する。この目標吸入空気量は、目標となる空気過剰率（以下、目標空気過剰率とする。）に基づいて算出する。
【００２５】
ここで、図５は、機関回転数と燃料噴射量と目標空気過剰率との関係を示した図である。図５（Ａ）はアルコール濃度が０％のとき、図５（Ｂ）はアルコール濃度が５０％のとき、図５（Ｃ）は、アルコール濃度が１００％のときを示している。なお、他のアルコール濃度においても同様のマップを備えている。例えばアルコール濃度の１０％毎にマップを備えていてもよい。そして、アルコール濃度センサ６２により検出されたアルコール濃度を切り上げ、または四捨五入等してどのマップを使用するのか選択する。図５の燃料噴射量はガソリン１００％のときに換算した値としている。そのため、アルコール濃度に関係なく図５に示したマップを使用することができる。なお、図５において均質リーン燃焼が行われる運転領域以外では目標空気過剰率が１とされる。
【００２６】
図５に示したように、燃料中のアルコール濃度が高くなるほど、均質リーン燃焼可能な運転領域が、高回転側または燃料噴射量が多い側に広くなる。すなわち、アルコール濃度が高いほど、均質リーン燃焼可能な運転領域が広がる。さらに、機関回転数および燃料噴射量が同じであっても、アルコール濃度が高いほど空気過剰率が大きくなる。すなわち、アルコール濃度が高いほど、リーンの度合いをより大きくすることができる。
【００２７】
このようして得られた目標空気過剰率と、燃料噴射量とから、目標吸入空気量が算出される。なお、目標空気過剰率に代えて、目標となるリーン空燃比を用いてもよい。
【００２８】
ステップＳ１０７では、実際の吸入空気量が目標吸入空気量となるように、スロットル５の開度を調整する。すなわち、吸入空気量のフィードバック制御を行う。このときの燃料噴射量は、ステップＳ１０３で算出された値である。なお、目標空気過剰率となるように、燃料噴射量をフィードバック制御してもよい。
【００２９】
ステップＳ１０８では、内燃機関１の出力を大きくするためにリッチ空燃比とされる。最大出力が得られる空気過剰率は予め実験等により得ることができる。また、本ステップでは、触媒の過熱を抑制するために燃料噴射量の増量制御を行ってもよい。これらの制御は、従来の技術を用いることもできる。
【００３０】
ステップＳ１０９では、空燃比センサ８により得られる空燃比を目標空燃比とするために、燃料噴射量のフィードバック制御を行う。目標空燃比は、そのときのアルコール濃度に応じて決定される例えば理論空燃比であり、予め実験等により求めて設定される。この
フィードバック制御は従来の技術を用いることもできる。
【００３１】
なお、空燃比センサ８がリーンの空燃比を検出可能である場合には、空燃比センサ８による燃料噴射量または吸入空気量のフィードバック制御を行うようにしてもよい。図６は、空燃比センサ８により検出される空燃比に基づいて燃料噴射量をフィードバック制御するときのフローを示したフローチャートである。図２に示したフローチャートに対して、ステップＳ２０１のみが異なる。
【００３２】
ステップＳ２０１では、空燃比センサ８により検出される空燃比が目標空燃比となるように、燃料噴射弁６から噴射させる燃料量をフィードバック制御する。このようにすることで、空燃比制御の精度を向上させて、よりリーン空燃比での運転が可能となる。
【００３３】
なお、本実施例ではステップＳ１０４およびステップＳ１０５の処理を行うＥＣＵ１０が、本発明におけるリーン領域決定手段に相当する。また、本実施例ではステップＳ１０６の処理を行うＥＣＵ１０が、本発明における空燃比決定手段に相当する。
【００３４】
以上説明したように、本実施例によれば、燃料中のアルコール濃度に基づいて均質リーン燃焼を行う領域を決定し、さらに均質リーン燃焼を行うときにはアルコール濃度に基づいてリーンの度合いを決定する。これにより、均質リーン燃焼で運転することのできる限界を広げ、さらにリーンの度合いの限界を高くすることができる。このように、運転状態およびアルコール濃度に応じて可及的にリーン度合いを高めることができるので、燃費を向上させることができる。
【図面の簡単な説明】
【００３５】
【図１】実施例に係る内燃機関の燃料供給装置を適用する内燃機関、並びにその吸気系および排気系の概略構成を示す図である。
【図２】実施例に係る燃料供給量の算出フローを示したフローチャートである。
【図３】機関回転数とアクセル開度の閾値との関係を表した図である。
【図４】機関回転数と燃料噴射量と燃料中のアルコール濃度の閾値と関係を示した図である。
【図５】機関回転数と燃料噴射量と目標空気過剰率との関係を示した図である。図５（Ａ）はアルコール濃度が０％のとき、図５（Ｂ）はアルコール濃度が５０％のとき、図５（Ｃ）は、アルコール濃度が１００％のときを示している。
【図６】空燃比センサにより検出される空燃比に基づいて燃料噴射量をフィードバック制御するときのフローを示したフローチャートである。
【符号の説明】
【００３６】
１     内燃機関
２     燃焼室
３     吸気通路
４     エアフローメータ
５     スロットル
５１   スロットル開度センサ
５２   アクチュエータ
６     燃料噴射弁
６１   燃料供給管
６２   アルコール濃度センサ
７     排気通路
８     空燃比センサ
１０   ＥＣＵ
１１   アクセルペダル
１２   アクセル開度センサ
【図１】
2007177638.tif 000003
【図２】
2007177638.tif 000004
【図３】
2007177638.tif 000005
【図４】
2007177638.tif 000006
【図５】
2007177638.tif 000007
【図６】
2007177638.tif 000008